(57)【要約】  本発明の教示によれば、積層枚葉紙が使用されて、紙パレット（１０）の担持表面を構成する構成要素および水平ランナー（１２）が構成される。複数の水平ランナー（１２）は、平坦シート（１１ｃ）または複数の平行に離間された細長要素（１１ａ、１１ｂ）の下側に配置されて接合される。細長要素はＴ字形（１１ａ）または平坦（１１ｂ）であることができる。Ｔ字形細長要素（１１ａ）は、対応して配置され、一緒に接合される２つのＬ字形細長要素から作ることができる。Ｔ字形細長要素（１１ａ）の場合、各水平ランナー（１２’）および直交コアインサート（１４’）の上部は切り込まれ（１９）、それらの場所に、Ｔ字形細長要素（１１ａ）が配置される。各水平ランナー（１２）は実質的に中空であり、かつ矩形であり、少なくとも１つのチャネル部材（１５、１３、１７）およびその内部に垂直に配置される複数の直交コアインサート（１４）から構成される。本発明は、５つの設計の水平ランナー（１２ａ〜１２ｅ）および担持表面を構成する３つの設計の構成要素を教示する。本発明により作られる紙パレットの１２個の実施形態（１０ａ〜１０ｌ）は、二方向パレットおよび四方向パレットを含む。【選択図】図１
2010538922.tif 000002
【特許請求の範囲】
【請求項１】
複数の水平ランナー（１２）および前記水平ランナー（１２）の上に１つの担持表面を構成する構成要素を備えた紙パレットであって、
前記水平ランナー（１２）および前記担持表面を構成する前記構成要素が、積層枚葉紙の層から作られ、
各水平ランナー（１２）が実質的に中空であり、かつ矩形であり、長手軸が水平に配置され、
各水平ランナー（１２）が、少なくとも１つのチャネル部材（１５、１３、１７）およびその内部に垂直に配置される複数の直交コアインサート（１４）をさらに備え、
前記担持表面を構成する前記構成要素が、前記水平ランナー（１２）をすべて覆う平坦シート（１１ｃ）の形態であり、
それにより、前記担持表面の上に担持される物品が、下の前記水平ランナー（１２）により支持される
を特徴とする、紙パレット。
【請求項２】
複数の水平ランナー（１２）および前記水平ランナー（１２）の上に１つの担持表面を構成する構成要素を備える紙パレットであって、
前記水平ランナー（１２）および前記担持表面を構成する前記構成要素が、積層枚葉紙の層から作られ、
各水平ランナー（１２）が実質的に中空であり、かつ矩形であり、長手軸が水平に配置され、
各水平ランナー（１２）が、少なくとも１つのチャネル部材（１５、１３、１７）および内部に垂直に配置される複数の直交コアインサート（１４）をさらに備え、
前記担持表面を構成する前記構成要素が、前記水平ランナー（１２）のすべてに垂直に配置される複数の平行に離間された平坦細長要素（１１ｂ）を含む
それにより、前記担持表面の上に担持される物品が、下の前記水平ランナー（１２）により支持される
ことを特徴とする、紙パレット。
【請求項３】
複数の水平ランナー（１２）および前記水平ランナー（１２）の上に１つの担持表面を構成する構成要素を備える紙パレットであって、
前記水平ランナー（１２）および前記担持表面を構成する前記構成要素が、積層枚葉紙の層から作られ、
各水平ランナー（１２）が実質的に中空であり、かつ矩形であり、長手軸が水平に配置され、
各水平ランナー（１２）が、少なくとも１つのチャネル部材（１５、１３、１７）および内部に垂直に配置される複数の直交コアインサート（１４）をさらに備え、
前記担持表面を構成する前記構成要素が、前記水平ランナー（１２）のすべてに垂直に配置された複数の平行に離間されたＴ字形細長要素（１１ａ）を含み、複数の切り込み（１９）が、各水平ランナー（１２’）の上部および前記直交コアインサート（１４’）の上部の適切な位置に作られ、前記切り込みに、前記Ｔ字形細長要素（１１ａ）が配置され、
それにより、前記担持表面の上に担持される物品が、下の前記水平ランナー（１２）により支持される
ことを特徴とする、紙パレット。
【請求項４】
前記水平ランナー（１２ａ）が、上に配置された逆になったＵ字形チャネル部材（１３）および下のＵ字形チャネル部材（１３）から形成され、複数の直交コアインサート（１４）が、前記２つのＵ字形チャネル部材（１３）の間に前記水平ランナー（１２ａ）の長さに沿って垂直に配置され、前記水平ランナー（１２ａ）の高さは実質的に、前記直交コアインサート（１４）の高さに対応する、請求項１〜３のいずれか一項に記載の紙パレット。
【請求項５】
前記水平ランナー（１２ｂ）は、２つの水平に対面するフランジおよび垂直フランジを含むＣ字形チャネル部材（１５）から形成され、複数の直交コアインサート（１４）が、前記２つの水平に対面するフランジの間に前記水平ランナー（１２ｂ）の長さに沿って垂直に配置され、前記Ｃ字形チャネル部材（１５）の高さは実質的に、前記直交コアインサート（１４）の高さに対応する、請求項１〜３のいずれか一項に記載の紙パレット。
【請求項６】
前記水平ランナー（１２ｄ）は、抱き合わせられた１つの大きなＣ字形チャネル部材および１つの小さなＣ字形チャネル部材（１５ａ、１５ｂ）から形成され、複数の直交コアインサート（１４）が、前記小さなＣ字形チャネル部材の内側に垂直に配置され、前記小さなＣ字形チャネル部材（１５ｂ）の高さは実質的に、前記直交コアインサート（１４）の高さに対応する、請求項１〜３のいずれか一項に記載の紙パレット。
【請求項７】
前記水平ランナー（１２）内に垂直に配置された前記直交コアインサート（１４）の両側には、前記水平らインナー（１２）の長さに沿って少なくとも１つの平坦パネル（１６）が配置される、請求項４〜６のいずれか一項に記載の紙パレット。
【請求項８】
前記水平ランナー（１２ｅ）は、上に配置された逆になった長いＵ字形チャネル部材（１３）および下に、前記上の逆になったＵ字形チャネル部材（１３）の両端に向けて配置された２つの離間された短い支持Ｕ字形チャネル部材（１７）から形成され、前記２つの短い支持Ｕ字形チャネル部材（１７）の間に空いた空間が残され、複数の直交コアインサート（１４）は、前係合する前記Ｕ字形チャネル部材（１３、１７）の間に垂直に配置され、前記水平ランナー（１２ｅ）が四方向パレットの構成に使用されるように、前記矩形水平ランナー（１２ｅ）の高さは実質的に、前記直交コアインサート（１４）の高さに対応する、請求項１〜３のいずれか一項に記載の紙パレット。
【請求項９】
前記空いたまま残された部分に対応する前記上の逆になったＵ字形チャネル部材（１３）の前記中央部分には、前記中空コアインサート（１８）の水平長が挿入される、請求項８に記載の水平ランナー。
【請求項１０】
前記Ｔ字形細長要素（１１ａ）は、対応して配置され、一緒に適宜接合される２つのＬ字形細長要素から作られる、請求項３に記載の紙パレット。
【請求項１１】
前記チャネル部材は、対応して配置され、一緒に適宜接合される２つのＬ字形細長部材から作られるＣ字形チャネル部材（１５）を含む、請求項１〜３および５〜７のいずれか一項に記載の紙パレット。
【請求項１２】
前記チャネル部材は、対応して配置され、一緒に適宜接合される２つのＬ字形細長部材から作られるＵ字形チャネル部材（１３、１７）を含む、請求項１〜４および７〜９のいずれか一項に記載の紙パレット。
【発明の詳細な説明】
【技術分野】
【０００１】
本発明は、一般的には物品搬送手段としての紙パレットに関する。特に、本発明は、積層枚葉紙から作られるパレットおよび担持表面および水平ランナーを構成する様々な設計の構成要素に関する。
【背景技術】
【０００２】
物品搬送手段として、パレットは従来、木、プラスチック、または紙から作られてきた。従来の紙設計は、蜂の巣構造または波形紙構造を利用して、紙パレットに構造的剛性を付与する。紙パレットの強度および設計を向上させる多くの試みがなされてきた。
【０００３】
（特許文献１）には、離間平衡関係で構成された中空矩形紙管の形態の支持体と、上記管の両端内にしっかりと嵌るように構成された矩形インサートと、上記管の片側に固定された剛性枚葉紙とを備え、管およびインサートは両方とも、一緒に接合された層状に巻かれた紙で形成され、管およびインサートの軸は互いに対して直角に配置される、パレットが開示されている。
【０００４】
（特許文献２）には、ポータブルパレットおよびその製造方法が開示されている。パレットは、それぞれ折り曲げられ、複数の交互になった上部および下部の平坦部ならびに連続チャネルの開いた側が上部および下部に交互になり、複数のこのようなチャネルが各側にある、チャネルを形成する介在垂直壁部が設けられた形状の一対の対向する板紙シートであって、シートは、一方のシート内の対面するチャネルが他方のシート内の対面するチャネルに直角になるように隣接して配置される、板紙シートと、対向する開いたチャネルが交差する連絡チャネル空間内に取り付けられる台板であって、台板の端部が対応する平坦部に係合した状態で、対応する対向チャネルの底部に延びる、台板と、シートおよび台板を一緒に固定関係で固定する手段とを備える。
【０００５】
（特許文献３）には、材料を扱うためのパレットが開示される。これは、デックボードと、指定された間隔でデックボードの下面に固定された複数の脚部とを備える。デックボードは、積層波形繊維板から構成され、各脚部は、波形繊維版で作られた正方形管状枠により形成され、プラスチック樹脂で作られた１つまたは複数のパッドが内部に挿入される。耐久性のある軽量構造のデックボードは、荷物が滑るのを防ぐために粗面処理された上面を有する。脚部は、変形および潰れなく重い荷重を支持するように構築され、湿気を吸収しないように設計される。
【０００６】
（特許文献４）には、波形板紙パレットが開示される。このパレットは、第１および第２の対の両側を有するベース部材と、ベース部材の下側に固定される複数の列形支持部材とを含む。支持部材は、対向する両端に、ベース部材および支持ブロックからのフラップを受けて、それぞれ、支持部材をベース部材に固定し、追加の強度をパレットに提供する開口を有する。このパレット設計は、都合よく出荷し、使用準備ができるまで格納することができると共に、ユーザが全体的に組み立てることができる。
【０００７】
（特許文献５）には、改良された軽量でリサイクル可能かつ略完全に紙のパレットが開示される。このパレットは、蜂の巣状の紙ベースおよび蜂の巣状の紙支持ランナーまたはブロックで作られる。ブロックは、剛性紙キャップにより保護され、大幅に強化される。ベース、ランナー、ブロック、およびキャップは、ポリエチレン等の保護ライナーを有することもでき、または他の様式で処理されて、耐水性および耐湿性を強化することができる。
【先行技術文献】
【特許文献】
【０００８】
【特許文献１】米国特許第２，５５９，９３０号明細書
【特許文献２】米国特許第２，９２８，６３８号明細書
【特許文献３】米国特許第４，７１４，０２６号明細書
【特許文献４】米国特許第５，２８５，７３１号明細書
【特許文献５】米国特許第５，３２９，８６１号明細書
【発明の概要】
【発明が解決しようとする課題】
【０００９】
したがって、本発明は、主な目的として、物品搬送手段として使用することができるような、積層枚葉紙から作られたパレットを提供することを有する。
【００１０】
本発明の別の目的は、紙パレットが経済的で、軽量かつ構造的に強くなければならないことである。
【００１１】
本発明のさらに別の目的は、紙パレットの設計が単純であり、様々なユーザニーズを満たすように汎用性を有さなければならないことである。
【課題を解決するための手段】
【００１２】
これらおよび他の目的が、複数の水平ランナーが平坦シートまたは複数の平行に離間された細長要素の下側に配置され接合されるという点で達成される。細長要素は平坦またはＴ字形であることができる。各水平ランナーは実質的に中空かつ矩形であり、１つまたは複数のチャネル部材およびその内部に垂直に配置される複数の直交コアインサートから構成される。一体型Ｕ字形チャネル部材またはＣ字形チャネル部材が利用できない場合、それを、対応して配置され適宜接合された２つのＬ字形細長部材で置換することができる。Ｔ字形細長要素の場合、水平ランナーおよび直交コアインサートの上部は切り込まれ、切り込みの位置に、Ｔ字形細長要素が配置される。
【００１３】
本発明により作られる紙パレットの１２個の実施形態は、二方向パレットおよび四方向パレットを含む。３つの水平ランナーが使用されて、二方向パレットが構築される。四方向パレットを構築するには、水平ランナーの下半分の中央部分が空いた状態のまま残され、２つの離間した短い支持Ｕ字形チャネル部材が両端に向けて配置される。
【００１４】
本発明をより容易に理解できるように、例として、本発明により作られた紙パレットの１２個の特定の実施形態の説明が以下に付与される。添付図面が参照される。
【図面の簡単な説明】
【００１５】
【図１】本発明により製造された紙パレットの第１の実施形態の斜視図である。
【図２】本発明により製造された紙パレットの第２の実施形態の斜視図である。
【図３】本発明により製造された紙パレットの第３の実施形態の斜視図である。
【図４】本発明により製造された紙パレットの第４の実施形態の斜視図である。
【図５】本発明により製造された紙パレットの第５の実施形態の斜視図である。
【図６】本発明により製造された紙パレットの第６の実施形態の斜視図である。
【図７】本発明により製造された紙パレットの第７の実施形態の斜視図である。
【図８】本発明により製造された紙パレットの第８の実施形態の斜視図である。
【図９】本発明により製造された紙パレットの第９の実施形態の斜視図である。
【図１０】本発明により製造された紙パレットの第１０の実施形態の斜視図である。
【図１１】本発明により製造された紙パレットの第１１の実施形態の斜視図である。
【図１２】本発明により製造された紙パレットの第１２の実施形態の斜視図である。
【図１３ａ】本発明により製造された水平ランナーの第１の設計の斜視図を示す。
【図１３ｂ】上部に複数の切り込みを有する、図１３ａに示すような水平ランナーの斜視図を示す。
【図１４ａ】本発明により製造された水平ランナーの第２の設計の斜視図を示す。
【図１４ｂ】上部に複数の切り込みを有する、図１４ａに示すような水平ランナーの斜視図を示す。
【図１５ａ】本発明により製造された水平ランナーの第３の設計の斜視図を示す。
【図１５ｂ】上部に複数の切り込みを有する、図１５ａに示すような水平ランナーの斜視図を示す。
【図１６ａ】本発明により製造された水平ランナーの第４の設計の斜視図を示す。
【図１６ｂ】上部に複数の切り込みを有する、図１６ａに示すような水平ランナーの斜視図を示す。
【図１７ａ】本発明により製造された、四方向パレット用の水平ランナーの第５の設計の斜視図を示す。
【図１７ｂ】上部に複数の切り込みを有する、図１７ａに示すような水平ランナーの斜視図を示す。
【発明を実施するための形態】
【００１６】
本発明の教示によれば、積層枚葉紙の層が所要寸法まで一緒に接合される。
【００１７】
紙パレット（１０）は本質的に、３つの平行する離間された水平ランナー（１２）の上に担持表面を備える。本発明の教示による紙パレット（１０）の実施形態の合計数は、担持表面を構成する構成要素の設計の使用と水平ランナー（１２）の使用との組み合わせに依存する。以下の説明では、１２個のみの実施形態を開示する。
【００１８】
説明を容易にするために、担持表面を構成する共通の構成要素を「１１」と付番する一方で、その異なる設計は、番号「１１」の後に［ａ」、「ｂ」、および「ｃ」と記される。水平ランナーの共通の構成要素は「１２」と付番される。水平ランナー（１２）の異なる設計を示すために、アルファベット「ａ」〜「ｅ」が、番号「１２」の後に追加される。水平ランナー（１２）の上部に切り込み（１９）を有する水平ランナー（１２）の異なる設計を示すために、「ａ」〜「ｅ」は番号「１２」の後に追加される。アルファベット「ａ」〜「ｌ」が、紙パレット（１０）の１２個の実施形態を区別するために使用される。
【００１９】
水平ランナー（１２）の長手軸を横切って、すなわち垂直に配置される、担持表面を構成する構成要素の３つの設計がある。担持表面を構成する構成要素の第１の設計は、平行に離間された複数のＴ字形細長要素（１１ａ）を備える（図１、図３、図５、図７、および図９参照）。Ｔ字形細長要素（１１ａ）は、水平ランナー（１２）に対して垂直である。Ｔ字形細長要素（１１ａ）が、担持表面の組み立てに利用される場合、複数の切り込み（１９）が水平ランナー（１２）の上部に作られて、Ｔ字形細長要素（１１ａ）の突出部を受ける。Ｔ字形細長要素（１１ａ）は、接着剤および／またはステープルにより一緒に適宜接合される２つのＬ字形細長要素から作ることができる。
【００２０】
担持表面を構成する構成要素の第２の設計は、平行に離間される複数の平坦な細長要素（１１ｂ）を備える（図２、図４、図６、図８、および図１０参照）。平坦な細長要素（１１ｂ）は、水平ランナー（１２）に対して垂直である。担持表面を構成する構成要素の第３の設計は、単に平坦なシート（１１ｃ）を備える（図１１および図１２参照）。平坦シート（１１ｃ）は、３つすべての水平ランナー（１２）を覆う。
【００２１】
本質的には、３つの水平ランナー（１２）は、紙パレット（１０）の担持表面を構成する構成要素を支持するために使用される。図１〜図４、図７〜図１０、および図１２のそれぞれは本質的に、二方向パレットを示す。図５、図６、および図１１のそれぞれは四方向パレットを示し、各水平ランナー（１２ｅ）の下半分の中央部分は空けられており、各水平ランナー（１２ｅ）の上半分は、２つの離間された短い支持用Ｕチャネル部材（１７）により支持される。
【００２２】
水平ランナー（１２ａ〜１２ｅ）の５つの可能な設計が、本発明の教示により教示される。
【００２３】
紙パレット（１０）の耐荷重機能が、各水平ランナー（１２）内に垂直に立った複数の直交コアインサート（１４）により伝えられることに留意することが重要である。各直交コアインサート（１４）の軸は、水平ランナー（１２）の長手軸に垂直である。少なくとも１つのチャネル部材（１５、１３、１７）により、これら直交コアインサート（１４）を容易に収容して、水平ランナー（１２）の矩形設計を構成することができる。直交コアインサート（１４）は、その四面が、他の構成要素、例えば、接着剤によりよく接触できるようにするため、かつ／またはより効率的に機能するようにステープル方法を可能にするため、使用される。
【００２４】
本発明の教示によれば、各水平ランナー（１２）は実質的に中空であり、矩形である。水平ランナー（１２）の矩形外形は、Ｕ字形チャネル部材（１３、１７）またはＣ字形チャネル部材（１５）を含む１つまたは複数のチャネル部材（１５、１３、１７）により実質的に画定される。一体型Ｕ字形チャネル部材（１３、１７）またはＣ字形チャネル部材（１５）が入手可能ではない場合、Ｕ形材またはＣ形材を、対応して配置され、一緒に適宜接合された２つのＬ字形細長部材から構成することができる。
【００２５】
図１３ａから分かるように、水平ランナー（１２ａ）の第１の設計は、実質的に矩形であり、上に配置される逆になったＵ字形チャネル部材（１３）および下のＵ字形チャネル部材（１３）から形成される。複数の直交コアインサート（１４）が、水平ランナー（１３ａ）の長さに沿って２つのＵ字形チャネル部材（１３）の間に垂直に配置される。２つのＵ字形チャネル部材（１３）は、このような挿入を容易にする。水平ランナー（１２ａ）の高さは本質的に、直交コアインサート（１４）の高さに対応する。上記水平ランナー（１２ａ）が複数のＴ字形細長部材（１１ａ）と併せて使用される場合、複数の切り込み（１９）が、各水平ランナー（１２ａ’）の上部および直交コアインサート（１４’）の上部に作られる（図１３ｂ）。直交コアインサート（１４’）の数は、使用されるＴ字形細長要素（１１ａ）の数に対応する。直交コアインサート（１４’）が、Ｔ字形細長要素（１１ａ）を支持するためにこれら切り込み部（１９）に配置されることに留意することが重要である。
【００２６】
図１４ａから分かるように、第２の設計の水平ランナー（１２ｂ）は、実質的に矩形であり、複数の直交コアインサート（１４）が２つの水平に面するフランジの間に垂直に配置されたＣ字形チャネル部材（１５）から形成される。Ｃ字形チャネル部材（１５）は、２つの水平に面するフランジと、水平ランナー（１２ｂ）の長さに沿った垂直フランジとを備える。Ｃ字形チャネル部材（１５）の高さは実質的に、直交コアインサート（１４）の高さに対応する。上記水平ランナー（１２ｂ）が複数のＴ字形細長要素（１１ａ）と併せて使用される場合、複数の切り込み（１９）が、各Ｃ字形チャネル部材（１５’）の上部フランジおよび直交コアインサート（１４’）の上部に作られる（図１４ｂ）。直交コアインサート（１４’）の数は、使用されるＴ字形細長要素（１１ａ）の数に対応する。直交コアインサート（１４’）が、Ｔ字形細長要素（１１ａ）を支持するために、これら切り込み部（１９）に配置されることに留意することが重要である。
【００２７】
図１５ａから分かるように、第３の設計の水平ランナー（１２ｃ）は、実質的に矩形であり、上に配置される逆になったＵ字形チャネル部材（１３）および下のＵ字形チャネル部材（１３）から形成される。水平ランナー（１２ｃ）の長さに沿って両側に２つの平坦なパネル（１６）が配置された複数の直交コアインサート（１４）が、２つのＵ字形チャネル部材の間に垂直に配置される。矩形水平ランナー（１２ｃ）の高さは実質的に、直交コアインサート（１４）の高さに対応する。上記水平ランナー（１２ｃ）が複数のＴ字形細長要素（１１ａ）と併せて使用される場合、複数の切り込み（１９）が、各水平ランナー（１２ｃ’）の上部および直交コアインサート（１４’）の上部ならびに平坦パネル（１６’）に作られる（図１５ｂ）。直交コアインサート（１４’）の数は、使用されるＴ字形細長部材（１１ａ）の数に対応する。直交コアインサート（１４’）が、Ｔ字形細長部材（１１ａ）を支持するために、これら切り込み部（１９）に配置されることに留意することが重要である。
【００２８】
図１６ａから分かるように、第４の設計の水平ランナー（１２ｄ）は、実質的に矩形であり、複数の直交コアインサート（１４）の両側に水平ランナー（１２ｄ）の長さに沿って２つの平坦なパネル（１６）が配置された、２つの抱き合わせられたＣ字形チャネル部材（１５ａ、１５ｂ）（すなわち、一方が大きく、他方が小さい）から形成される。小さなｃ字形チャネル部材（１５ｂ）の高さは実質的に、直交コアインサート（１４）の高さに対応する。上記水平ランナー（１２ｄ）が複数のＴ字形細長部材（１１ａ）と併せて使用される場合、複数の切り込み（１９）が、各水平ランナー（１２ｄ’）の上部および直交コアインサート（１４’）の上部ならびに平坦パネル（１６’）に作られる（図１６ｂ）。直交コアインサート（１４’）の数は、使用されるＴ字形細長要素（１１ａ）の数に対応する。直交コアインサート（１４’）が、Ｔ字形細長部材（１１ａ）を支持するために、これら切り込み部（１９）に配置されることに留意することが重要である。
【００２９】
チャネル部材（１３、１５、１７）を含む可能なすべてのランナー設計では、内部に垂直に配置される直交コアインサート（１４）の両側には、水平ランナー（１２ｃ、１２ｄ）の長さに沿って少なくとも１つの平坦なパネル（１６）を配置することができる。平坦パネル（１６）は、ランナー設計の剛性をさらに強化する。上記開示された第３および第４の設計は、ランナー設計の補強されたバージョンと考えることができる。
【００３０】
図１７ａから分かるように、第５の設計の水平ランナー（１２ｅ）は、実質的に矩形であり、上に配置された逆になった長いＵ字形チャネル部材（１３）と共に、下に配置され、上の逆になったＵ字形チャネル部材（１３）の両端に向かって配置された、２つの離間された短い支持Ｕ字形チャネル部材（１７）から形成される。効率的に、水平ランナー（１２ｅ）の下半分の中央部分は空いたままであり、これは、四方向パレットを構成することを意味する。空いたまま残される中央部分の厳密な長さは可変であり、ユーザの要件に合うように適合させることができる。空いたままの状態の部分に対応する、上の逆になったＵ字形チャネル部材（１３）の中央部分に、水平長の中空コアインサート（１８）が挿入されることに留意することが重要である。中空コアインサート（１８）の長手軸は、水平ランナー（１２ｅ）の長手軸に平行する。この第５の設計の水平ランナー（１２ｅ）は、四方向パレットの構造への使用に適する。複数の直交コアインサート（１４）が、係合するＵ字形チャネル部材（１３、１７）の間に垂直に配置される。矩形水平ランナー（１２ｅ）の高さは実質的に、直交コアインサート（１４）の高さに対応する。上記水平ランナー（１２ｅ）が複数のＴ字形細長部材（１１ｅ）と併せて使用される場合、複数の切り込み（１９）が、各水平ランナー（１２ｅ’）の上部および直交コアインサート（１４’）の上部に作られる（図１７ｂ）。直交コアインサート（１４’）および中空コアインサート（１８）の水平長さが、Ｔ字形細長部材（１１ａ）を支持するために、これら切り込み部（９）に配置されることに留意することが重要である。
【００３１】
本開示の教示からさらなる変更が予期できることが、当業者には明らかである。例として、紙パレット（１０）は、図９および図１０に示すように、少なくとも２つの支持要素（２０）を水平ランナー（１２）の下に取り付けることによりさらに強化することができる。
【図１】
2010538922.tif 000003
【図２】
2010538922.tif 000004
【図３】
2010538922.tif 000005
【図４】
2010538922.tif 000006
【図５】
2010538922.tif 000007
【図６】
2010538922.tif 000008
【図７】
2010538922.tif 000009
【図８】
2010538922.tif 000010
【図９】
2010538922.tif 000011
【図１０】
2010538922.tif 000012
【図１１】
2010538922.tif 000013
【図１２】
2010538922.tif 000014
【図１３ａ】
2010538922.tif 000015
【図１３ｂ】
2010538922.tif 000016
【図１４ａ】
2010538922.tif 000017
【図１４ｂ】
2010538922.tif 000018
【図１５ａ】
2010538922.tif 000019
【図１５ｂ】
2010538922.tif 000020
【図１６ａ】
2010538922.tif 000021
【図１６ｂ】
2010538922.tif 000022
【図１７ａ】
2010538922.tif 000023
【図１７ｂ】
2010538922.tif 000024
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
複数の水平ランナー（１２）および前記水平ランナー（１２）の上に１つの担持表面を構成する構成要素を備える紙パレットであって、
前記水平ランナー（１２）および前記担持表面を構成する前記構成要素が、積層枚葉紙の層から作られ、
各水平ランナー（１２）が実質的に中空であり、かつ矩形であり、長手軸が水平に配置され、
各水平ランナー（１２）が、少なくとも１つのチャネル部材（１５、１３、１７）および内部に垂直に配置される複数の直交コアインサート（１４）をさらに備え、
前記担持表面を構成する前記構成要素が、前記水平ランナー（１２）のすべてに垂直に配置された複数の平行に離間されたＴ字形細長要素（１１ａ）を含み、複数の切り込み（１９）が、各水平ランナー（１２’）の上部および前記直交コアインサート（１４’）の上部の適切な位置に作られ、前記切り込みに、前記Ｔ字形細長要素（１１ａ）が配置され、
それにより、前記担持表面の上に担持される物品が、下の前記水平ランナー（１２）により支持される
ことを特徴とする、紙パレット。
【請求項２】
前記水平ランナー（１２ａ）が、上に配置された逆になったＵ字形チャネル部材（１３）および下のＵ字形チャネル部材（１３）から形成され、複数の直交コアインサート（１４）が、前記２つのＵ字形チャネル部材（１３）の間に前記水平ランナー（１２ａ）の長さに沿って垂直に配置され、前記水平ランナー（１２ａ）の高さは実質的に、前記直交コアインサート（１４）の高さに対応する、請求項１に記載の紙パレット。
【請求項３】
前記水平ランナー（１２ｄ）は、抱き合わせられた１つの大きなＣ字形チャネル部材および１つの小さなＣ字形チャネル部材（１５ａ、１５ｂ）から形成され、複数の直交コアインサート（１４）が、前記小さなＣ字形チャネル部材の内側に垂直に配置され、前記小さなＣ字形チャネル部材（１５ｂ）の高さは実質的に、前記直交コアインサート（１４）の高さに対応する、請求項１に記載の紙パレット。
【請求項４】
前記水平ランナー（１２）内に垂直に配置された前記直交コアインサート（１４）の両側には、前記水平らインナー（１２）の長さに沿って少なくとも１つの平坦パネル（１６）が配置される、請求項２または３に記載の紙パレット。
【請求項５】
前記水平ランナー（１２ｅ）は、上に配置された逆になった長いＵ字形チャネル部材（１３）および下に、前記上の逆になったＵ字形チャネル部材（１３）の両端に向けて配置された２つの離間された短い支持Ｕ字形チャネル部材（１７）から形成され、前記２つの短い支持Ｕ字形チャネル部材（１７）の間に空いた空間が残され、複数の直交コアインサート（１４）は、前係合する前記Ｕ字形チャネル部材（１３、１７）の間に垂直に配置され、前記水平ランナー（１２ｅ）が四方向パレットの構成に使用されるように、前記矩形水平ランナー（１２ｅ）の高さは実質的に、前記直交コアインサート（１４）の高さに対応する、請求項１に記載の紙パレット。
【請求項６】
前記空いたまま残された部分に対応する前記上の逆になったＵ字形チャネル部材（１３）の前記中央部分には、前記中空コアインサート（１８）の水平長が挿入される、請求項５に記載の水平ランナー。
【請求項７】
前記Ｔ字形細長要素（１１ａ）は、対応して配置され、一緒に適宜接合される２つのＬ字形細長要素から作られる、請求項１に記載の紙パレット。
【請求項８】
前記チャネル部材は、対応して配置され、一緒に適宜接合される２つのＬ字形細長部材から作られるＣ字形チャネル部材（１５）を含む、請求項１、３、または４に記載の紙パレット。
【請求項９】
前記チャネル部材は、対応して配置され、一緒に適宜接合される２つのＬ字形細長部材から作られるＵ字形チャネル部材（１３、１７）を含む、請求項１、３、４、５、または６に記載の紙パレット。
【国際調査報告】
2010538922.tif 000025
2010538922.tif 000026